【事件の表示】
　特許第３３２１６４５号「パチンコ機」の請求項１、２に係る特許に対する特許異議の申立てについて、次のとおり決定する。
【結　論】
　訂正を認める。
　特許第３３２１６４５号の請求項１ないし２に係る特許を維持する。
【理　由】
１．手続の経緯
　特許第３３２１６４５号の請求項１及び２に係る発明についての出願は、平成２年６月８日にされた特許出願（特願平２−１５０８５４号）の一部が、特許法第４４条の規定により新たな出願（特願平９−１６６６１３号）とされ、更にその一部が新たな出願（特願平１１−１５２４７６号）とされたものであって、平成１４年６月２８日にその発明について特許の設定登録がなされ、その後、その特許について、異議申立人細江裕実により特許異議の申立てがなされ、取消しの理由が通知され、その指定期間内である平成１７年８月５日に訂正請求がなされ、同年９月１３日付けで特許異議申立人より上申書が提出されたものである。
　
２．訂正の適否についての判断
　
ア．訂正の内容
（ａ）訂正事項ａ．
特許請求の範囲を、
「【請求項１】入賞口への入賞球に基づく賞球および球貸スイッチの操作に基づく貸出球の排出装置を作動させる本体制御装置とカードリードライター及び前記球貸スイッチが電気的に接続され、カードの残高を確認するリードライター制御装置とを、該両装置間で互いに交信し、貸出球の排出を行うように電気的に接続したパチンコ機であって、
前記本体制御装置は、前記リードライター制御装置から、前記カードの残高があることを条件として出力される球貸要求信号を受信して貸出球の排出を行なうと共に作動を示すビジー信号を前記リードライター制御装置へ送信し、
前記リードライター制御装置は前記ビジー信号の送信終了によって球貸要求信号を送信可能にさせ、前記カードリードライターに挿入されたカードのカード残金がゼロでないとき、かつ、前記球貸スイッチの操作に基づき記憶された球貸記憶数情報がゼロでないときに前記球貸要求信号を前記本体制御装置に送信し、
前記本体制御装置は前記球貸要求信号があれば、貸出球の排出およびビジー信号の送信を繰り返すようにしたことを特徴とするパチンコ機。
【請求項２】リードライター制御装置には球貸要求信号を送信するための球貸スイッチ及び、カードリードライターに挿入されたカードを返却するためのカード取出スイッチはパチンコ機の外枠に装着されていることを特徴とする請求項１記載のパチンコ機。」
と訂正する。
　
（ｂ）訂正事項ｂ．
発明の詳細な説明中段落【０００７】を
「【０００７】
【課題を解決するための手段】
　上記目的を達成するために、請求項１のパチンコ機の発明は、入賞口への入賞球に基づく賞球および球貸スイッチの操作に基づく貸出球の排出装置を作動させる本体制御装置とカードリードライター及び前記球貸スイッチが電気的に接続され、カードの残高を確認するリードライター制御装置とを、該両装置間で互いに交信し、貸出球の排出を行うように電気的に接続したパチンコ機であって、前記本体制御装置は、前記リードライター制御装置から前記カードの残高があることを条件として出力される球貸要求信号を受信して貸出球の排出を行うと共に作動を示すビジー信号を前記リードライター制御装置へ送信し、前記リードライター制御装置は前記ビジー信号の送信終了によって球貸要求信号を送信可能にさせ、前記カードリードライターに挿入されたカードのカード残金がゼロでないとき、かつ、前記球貸スイッチの操作に基づき記憶された球貸記憶数情報がゼロでないときに前記球貸要求信号を前記本体制御装置に送信し、前記本体制御装置は前記球貸要求信号があれば、貸出球の排出およびビジー信号の送信を繰り返すようにしたことを特徴とする。」
と訂正する。
　
（ｃ）訂正事項ｃ．
発明の詳細な説明中段落【００１７】を、
「【００１７】
　また、リードライター制御装置５ｂは主要のｃｐｕがＲＯＭに書き込まれたプログラムにより作動し、球貸スイッチ４１、カードの取出スイッチ４２および枠開放検出スイッチ２５のオン・オフ信号の入力やカードリードライター５ａからの情報を受信してカードリードライター５ａ、カード搬送装置３９および金額の表示装置４０を作動させるものである。一方また、本体制御装置３７に球貸要求信号（ＢＢコール）を送信することによって本体制御装置３７からビジー信号、残金減算要求信号（残金信号）および球貸記憶減算要求信号（後述する球貸記憶数の減算を要求する信号）が返信されこれら総入力信号に基づきカードリードライター５ａカード搬送装置３９および金額の表示装置４０を作動させる。」
と訂正する。
　
（ｄ）訂正事項ｄ．
発明の詳細な説明中段落【００２０】を、
「【００２０】
　ステップ５では取出スイッチ４２の作動を判別し、イエスであれば（作動している場合）後述するステップＢ１（図８）に進み、ノウ（作動していない場合）であれば次のステップ６に進み球貸スイッチ４１が作動しているかを判定する。そして、ステップ６の判定がイエスであればステップ７に進み枠開放検出スイッチ２５が作動しているかどうかを判定する。ガラス枠１８等が閉じた状態（ノウ）であれば球貸出しの条件が整うので、球貸記憶の記憶数（球貸記憶の数値、すなわち球貸記憶数、当初は０）を加算するステップ８を通ってステップＡ１（図７）へ進む。なお、ステップ６において球貸スイッチ４１が作動していないときおよびステップ７においてガラス枠１８等が開放状態であれば球貸記憶の数値（カードに記憶された球貸可能な数、すなわち球貸記憶数）は増加しないようにされている。」
と訂正する。
　
（ｅ）訂正事項ｅ．
発明の詳細な説明中段落【００２１】を、
「【００２１】
　次に、本体制御装置３７からの信号の有無と残金の有無をチェックしてＢＢコールを送信する手順を述べる。図７に示すステップＡ１ではビジー信号の受信の有無を判定する。受信していない場合（ノウ）であれば、ステップＡ２において球貸記憶減算要求信号の受信の有無を判定しステップＡ３では残金減算要求信号の受信の有無を判定する。ここで両信号が受信されていなければステップＡ４でカードの金額データの残高の有無を判定する。そして、残高があればステップＡ５において球貸記憶の有無のチェックをする。球貸記憶が有ればステップＡ６において再度ビジー信号を受信しているかどうかを確認し、受信していない（ノウ）のであればステップＡ７においてＢＢコールを発生させる。なお、ステップＡ２において球貸記憶減算要求信号が受信されていればステップＡ８に進み球貸記憶の数値（前記球貸記憶数）を１減算してステップＡ３に合流する。」
と訂正する。
　
（ｆ）訂正事項ｆ．
発明の詳細な説明中段落【００２３】を、
「【００２３】
　図８に示すように、先ず、ＢＢコールが発生しているかをここで判定する。発生していなければそのまま進むがもし有ればステップＢ２でＢＢコールを停止させ次に進む。ステップＢ３ではビジー信号を受信しているかをチェックし受けていれば待機状態になり、そうでなければステップＢ４で球貸記憶減算要求信号の有無を判定し無ければそのまま次へ進むが有ればステップＢ５で球貸記憶の数値（前記球貸記憶数）を１減算し、ステップＢ６で球貸記憶の数値（前記球貸記憶数）が０であることを確認し、もし記憶数が有るならばステップＢ７において球貸記憶の数値（前記球貸記憶数）をクリアする。次に、残金減算要求信号が受信されている場合（ステップＢ８）、減算処理をして（ステップＢ９）結果をカードに書き込み（ステップＢ１０）、図６に示すステップ９によりカードを排出する。」
と訂正する。
　
（ｇ）訂正事項ｇ．
発明の詳細な説明中段落【００２４】を、
「【００２４】
　一方、図７に示すステップＡ４で残金データが０になったことを判定すると、カードに残金０のデータを書き込み（図８ステップＢ１０）、球貸記憶の記憶数（前記球貸記憶数）が０以外であればその数値をクリアし（図示せず）、図６に示すステップ９によりカードを排出する。」
と訂正する。
　
（ｈ）訂正事項ｈ．
発明の詳細な説明中段落【００２８】を、
「【００２８】
　なお、ステップ７はパチンコ機１を修理するためなどでガラス枠１８等を開放しているときに、作業者が誤って球貸し操作を行ってしまっても球貸しがされないように回路を制御したもので、この働きは、ガラス枠１８等の開放が検出された場合にはカードを排出するようにしても良く、枠開放時に球貸出し機能を停止させるものであれば何でも良い。また、本実施例ではカードを挿入した後、カードは残額が０になるか（ステップＡ４参照）または取出スイッチ４２が操作されるか（ステップ５参照）するまでカードリードライター５ａ内に保持されたままであるが、玉貸し操作ごとに排出するようにしても良い。」
と訂正する。
　　
イ．訂正の目的の適否、新規事項の有無、及び拡張・変更の存否
　
  上記訂正事項（ａ）は、訂正前明細書の記載に基き、
請求項１の「賞球」を「入賞口への入賞球に基づく賞球」に、「貸出球」を「球貸スイッチの操作に基づく貸出球」に、「球貸スイッチを電気的に接続したリードライター制御装置」を「球貸スイッチを電気的に接続し、カードの残高を確認するリードライター制御装置」に、「前記リードライター制御装置からの球貸要求信号」を「前記リードライター制御装置から、前記カードの残高があることを条件として出力される球貸要求信号」に、訂正するもので、これらは、訂正前の請求項１の「賞球」「貸出球」「リードライター制御装置」及び「球貸要求信号」を更に限定したものであり、また「球貸要求信号があるときに貸出球の排出およびビジー信号の送信を繰り返す」を「球貸要求信号があれば、貸出球の排出およびビジー信号の送信を繰り返す」に訂正するものは不明瞭な記載の釈明を目的とするものであって、願書に最初に添付された明細書及び図面に記載した事項の範囲内のものであり、実質上特許請求の範囲を拡張しまたは変更するものではない。
　特許異議申立人は、上申書において、「カードの残高があることを条件として」との訂正が実質的な拡張であると主張しているが、この訂正は願書に最初に添付された明細書及び図面から自明な事項であるから、実質上特許請求の範囲を拡張しまたは変更するものではない。
　
　また、上記訂正事項（ｂ）は、上記訂正に伴い、これらと整合を図るために、発明の詳細な説明を訂正するものであるから、明りょうでない記載の釈明を目的とするものであり、上記訂正事項（ｃ）〜（ｇ）は、「球貸記憶数」についての、明りょうでない記載の釈明を目的とするものであって、これらは、願書に最初に添付された明細書及び図面に記載されていた事項である。
更に、（ｈ）は明らかな誤記の訂正である。
　
ウ．むすび
　したがって、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項で準用する平成６年改正法による改正前の特許法第１２６条第１項ただし書、第２項及び第３項の規定に適合するので、当該訂正を認める。
　
３．特許異議申立についての判断
（１）特許異議申立理由の概要
　
　特許異議申立人細江裕実は、請求項１及び２に係る発明の特許は、以下の３−（１）−１．〜３−（１）−３．に示す、特許異議申立理由１〜３の理由により、本件発明１及び２の特許は取り消されるべきものであると主張している。
　
３−（１）―１．特許異議申立理由１：
　　「球貸要求信号」がいかなるものか特定することができないから、特許法第３６条第４項に違反する。
　
３−（１）−２．特許異議申立２：
　　「球貸要求信号があるときに貸出球の排出およびビジー信号の送信を繰り返す」が、発明の詳細な説明に、当業者が容易に実施できる程度に記載されていないから特許法第３６条第３項に違反する。
　
３−（１）−３．特許異議申立３：
　　請求項１に係る発明について、特開平１−２８０４８９号公報（甲第１号証）に記載された発明及び下記各文献（甲第２〜１３号証）にみられる周知技術に基づいて、また、請求項２に係る発明について、これらに加え更に甲第１４及び１５号証にみられる周知技術に基づいて容易に発明をすることができたものであるから、特許法第２９条第２項により特許を受けることができない。
記
特開昭６３−３０９２８７号公報（甲第２号証）
　特開昭６３−１０２７８３号公報（甲第３号証）
　特開昭６３−１２２４８２号公報（甲第４号証）
　特開昭６４−３４３９０号公報（甲第５号証）
　特開昭６３−１２２４８７号公報（甲第６号証）
　特開平１−２２１１８７号公報（甲第７号証）
特開平１−１２１９２１号公報（甲第８号証）
　特開平１−１４２９２４号公報（甲第９号証）
　特開昭６０−９７４５７号公報（甲第１０号証）
実願昭６２-１５４１４６号（実開平１-５９１８３号）のマイクロフィルム（甲第１１号証）
特開昭６１−８５９７４号（甲第１２号証）
実願昭６２−１４００４７号（実開昭６４−４６０８７号）のマイクロフィルム（甲第１３号証）
特開昭６３−９９８９１号公報（甲第１４号証）
特開昭６４−２２２７４号公報（甲第１５号証）
　
  
（２）「本件発明」
　上記２．で示したように上記訂正が認められるから、本件の請求項１及び２に係る発明（以下、それぞれ「本件発明１」、「本件発明２」という。）は、上記訂正に係る訂正明細書の特許請求の範囲の請求項１及び２に記載された次の事項により特定されるとおりのものである。
　
「【請求項１】入賞口への入賞球に基づく賞球および球貸スイッチの操作に基づく貸出球の排出装置を作動させる本体制御装置とカードリードライター及び前記球貸スイッチが電気的に接続され、カードの残高を確認するリードライター制御装置とを、該両装置間で互いに交信し、貸出球の排出を行うように電気的に接続したパチンコ機であって、
前記本体制御装置は、前記リードライター制御装置から、前記カードの残高があることを条件として出力される球貸要求信号を受信して貸出球の排出を行なうと共に作動を示すビジー信号を前記リードライター制御装置へ送信し、
前記リードライター制御装置は前記ビジー信号の送信終了によって球貸要求信号を送信可能にさせ、前記カードリードライターに挿入されたカードのカード残金がゼロでないとき、かつ、前記球貸スイッチの操作に基づき記憶された球貸記憶数情報がゼロでないときに前記球貸要求信号を前記本体制御装置に送信し、
前記本体制御装置は前記球貸要求信号があれば、貸出球の排出およびビジー信号の送信を繰り返すようにしたことを特徴とするパチンコ機。
【請求項２】リードライター制御装置には球貸要求信号を送信するための球貸スイッチ及び、カードリードライターに挿入されたカードを返却するためのカード取出スイッチはパチンコ機の外枠に装着されていることを特徴とする請求項１記載のパチンコ機。」
　
（３）特許異議申立理由についての検討
３−（３）−１．特許異議申立理由１について
　「球貸要求信号」は、請求項１に「リードライタ制御装置から」「出力される」「本体制御装置」が「受信」するものであって「球貸要求信号を受信して貸出球の排出を行う」と記載されており、図５〜９及び発明の詳細な説明の記載によっても理解できるものであるから、取消理由１は理由がない。
　
３−（３）−２．特許異議申立理由２について
　「球貸要求信号があるときに貸出球の排出およびビジー信号の送信を繰り返す」点は、「玉貸要求信号」が「カード残高があることを条件として出力」されるものであり、「玉貸要求」という用語の意味及び「玉貸スイッチの操作に基づく貸出球の排出」という技術事項からみて、図５〜９及び発明の詳細な説明の記載に基づき容易に実施可能であるので、取消理由２は理由がない。
　
３−（３）−３．特許異議申立理由３．について
　
　「本件発明１」の、「本体制御装置」と「リードライタ制御装置」が「互いに交信」するものであって、「リードライタ制御装置」から送信された「球貸要求信号」を「本体制御装置」が受信すると「本体制御装置」は排球を行うと共にビジー信号を送信し、「リードライタ制御装置」は、そのビジー信号が終了すると「玉貸要求信号」が送信可能となるものであって、さらに「玉貸要求信号」は玉貸スイッチが操作されることに基づいて記憶された玉貸記憶数がゼロでないという条件で送信されるものである、という点は、上記３−（１）−３．において示した甲第１〜１５号証のいずれにも記載されておらず、またこれらに基づいて容易に想到することができたともいえない。
　
　なぜならば、「ビジー信号」には、「リードライタ制御装置」による「玉貸要求信号」の送信を可能とさせる、という機能があり、「玉貸要求信号」には「本体制御装置」による貸出球の排出と「ビジー信号」の送信をさせる、という機能があって、「玉貸要求信号」と「ビジー信号」の交信によって必要な玉貸動作がおこなわれるものであるという、単なる何らかの信号の行き来がある、というものとは異なる点、また、「本体制御装置」は、「本体」を制御することの意味として、「賞球」の排出制御というパチンコ機における遊技動作の制御をおこなっており、単なる球排出装置の駆動装置ではなく、「カードリーダ制御装置」は玉貸スイッチとカードリーダライターとが接続され「玉貸記憶数情報」の処理をおこなうがパチンコ機本体の制御はおこなっていない点、の２点において、甲１〜１５号証のいずれの文献にも記載されておらず、これらのいかなる組み合わせによっても導き出し得ないからである。
　
　「本件発明２」は、「本件発明１」に更に技術事項を付加したものであり、「本件発明１」が上記甲各号証のいずれからも、またいずれを組み合わせても、容易に想到し得たとはいえないのであるから、「本件発明２」もまた、容易に想到し得たとはいえない。
　
（４）異議申立についての判断の結論
　以上のとおり、特許異議申立理由１〜３はいずれも理由がない。
　
４．むすび．
　以上のとおりであるから、特許異議申立の理由および証拠によっては、本件発明１及び２の特許を取り消すことが出来ない。
　また、他に本件発明１及び２の特許を取り消すべき理由を発見しない。
　
したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１８年１月６日（２００６．１．６）
【訂正の要旨】
審決（決定）の【理由】欄参照。
（５４）【発明の名称】
パチンコ機
（５７）【特許請求の範囲】
　【請求項１】
入賞口への入賞球に基づく
球貸スイッチの操作に基づく
前記
、カードの残高を確認する
前記本体制御装置は、前記リードライター制御装置から
前記カードの残高があることを条件として出力される
行う
前記リードライター制御装置は前記ビジー信号の送信終了によって球貸要求信号を送信可能にさせ、
前記カードリードライターに挿入されたカードのカード残金がゼロでないとき、かつ、前記球貸スイッチの操作に基づき記憶された球貸記憶数情報がゼロでないときに前記球貸要求信号を前記本体制御装置に送信し、
前記本体制御装置は前記球貸要求信号があ
れば、
　【請求項２】
リードライター制御装置には球貸要求信号を送信するための球貸スイッチ及び、カードリードライターに挿入されたカードを返却するためのカード取出スイッチはパチンコ機の外枠に装着されていることを特徴とする請求項１記載のパチンコ機。
【発明の詳細な説明】
　【０００１】
　【発明の属する技術分野】
　本発明は、パチンコ機の遊技球をカードによって貸出すことのできる、パチンコ機に関するものである。
　【０００２】
　【従来の技術】
　一般に、パチンコ店で使用されるパチンコ機の遊技球は、店内のコーナーまたは店内に並べられているパチンコ機の間に介在されてる自動球貸機によって得られる。これらは予め、少額の紙幣、硬貨を用意しておく必要があり、換金をするため一時、遊技を中断せざるを得なかった。
　【０００３】
　近年、上記理由などにより、プリペイド用カード等を利用したカード式の球貸機が提案されている。カード式の球貸機は、カード読取り装置と金額表示兼選択スイッチ等が備わっているもので、カードを球貸機に有するカード挿入口から挿入し、選択スイッチを操作することによって遊技球が所定数払出されるようにされている。このカード式球貸機を隣接するパチンコ機の間またはパチンコ機の上方に設置することを提案したものがある（特開昭６３−１２２４８２号公報参照）。
　【０００４】
　この構成によれば球貸機の同位置に配置されたカード挿入口にカードを挿入して貸出用のスイッチを押すことによって、貸出球は樋を介してパチンコ機の受皿に排出するようにされている。ところが、このカード式球貸機のカード挿入口および操作部はパチンコ機から離れているので、カードの操作を行うときには身体を動かさねばならず遊技を中断することとなる。そこで、１台のパチンコ機専用としてカード式球貸機をパチンコ機の前面枠に配設することを提案したものがある（特開昭６４−３４３９０号公報参照）。これはカードの情報読み取りを専用にすることで遊技中カードを挿入したままにしておくことができ、煩雑な球貸し操作が省けて遊技に専念できる。
　【０００５】
　【発明が解決しようとする課題】
　しかしながら、上記のようにパチンコ機と一体に上記カード式球貸機を設けたものでは、新台入れ替え時において、遊技性とは関係のないカードリードライターおよびその制御装置まで交換することになり改装費が割高になる。
　【０００６】
　本発明は、カード式球貸機と一体となったパチンコ機の入れ替えにおいて、旧カードリードライターおよびその制御装置を再使用できるように、パチンコ機の新本体制御装置と簡易に電気的に接続できるようにしたパチンコ機を提供することを目的とする。
　【０００７】
　【課題を解決するための手段】
　上記目的を達成するために、請求項１の
パチンコ機の
入賞口への入賞球に基づく
球貸スイッチの操作に基づく
前記
、カードの残高を確認する
前記カードの残高があることを条件として出力される
行う
れば、
　【０００８】
　請求項２の発明は、請求項１記載の発明において、リードライター制御装置には球貸要求信号を送信するための球貸スイッチ及び、カードリードライターに挿入されたカードを返却するためのカード取出スイッチはパチンコ機の外枠に装着されていることを特徴とする。
　【０００９】
　上記のように構成することにより、パチンコ機の入れ替時において、リードライター制御装置と本体制御装置との接続箇所を分離し、旧リードライター制御装置と新本体制御装置とを再接続するだけでカードリードライター、球貸スイッチ及びカード取出スイッチをそのまま使用できる。
　【００１０】
　【発明の実施の形態】
　以下、本発明の実施の形態を添付図面に基いて説明する。図１，図２に示すようにパチンコ機１の前面には遊技球を乗せる上皿２および下皿３が設けられ、上皿２から流下して来る遊技球を発射する電動ハンドル４が図面上右側に取付けられ後述するカード式球貸装置５のカードリードライター５ａ（カード挿入部）が図面上左側に取付けられている。なお、電動ハンドル４は上面に配したタッチスイッチ４ａを押さえることにより起動し側面に突設したつまみ４ｂを回すことによって発射力を調整するものである。また、電動ハンドル４の近くに単発発射用のスイッチ６が取付けられている。
　【００１１】
　図３に示すように、遊技盤７上には入賞口（役物始動口を含む）８が設けられ、ここでは役物始動口８はスロット９を回転させる機構となっており、その回転を止め図柄を停止させるスイッチ１０が電動ハンドル４の側に配置されている。なお、上皿２の排出口２ａからは貸出球および賞球が排出され、上皿２の枠に配置した球抜きボタン１１を押すことによって上皿２の遊技球が下皿３の排出口３ａから出る。図中、カードリードライター５ａの隣りには引出し型の灰皿ボックス１２が具備されている。
　【００１２】
　また、図２に示すように、遊技盤７、上皿２、下皿３および電動ハンドル４は前枠１３に装着されており、矩形状の外枠１４にはその下部前面１４ａにカードリードライター５ａおよび灰皿ボックス１２が取付けられている。ヒンジ１５は外枠１４の上端縁に固着したサポート１５ａと前枠１３の上端に固着した爪側ヒンジ１５ｂとで構成され、同様に、外枠１４の下部前面１４ａ上に固着された爪側ヒンジ１５ｂと前枠１３下端縁に固着されたサポート１５ａとで構成され、それぞれが結合して前枠１３を横方向に回動自在に設けている。したがって、その連結は前枠１３を前方に回動させ、上方に持ち上げることで容易に外せる構造となっている。
　【００１３】
　また、前枠１３にはヒンジ１５と反対側側面にシリンダ錠１６が設けられ、外枠１４には鍵受部材１７が縦方向の２箇所に取付けられており、シリンダ錠１６によって前枠１３およびガラス枠１８を固定、あるいは開放するようにされている。なお、前枠１３の周囲にはスピーカ１９および表示灯２０が取付けられ、後部には機構枠２１が一体に構成され球寄せカバー２２が装着されており、上部に上タンク２３が配置されている。
　【００１４】
　また、図４に示すように、鍵受部材１７には施錠装置２４が係合され、この箇所に枠開放検出スイッチ２５が取付けられており、合鍵によって前枠１３またはガラス枠１８が開放されるとその開放状態を検出するようにされている。上タンク２３からは接続樋２６を介して賞球および貸出球の排出装置２７が接続され排出装置２７の下部に賞球樋２８および球抜樋２９が接続されている。賞球樋２８は上皿２への接続樋３０と下皿流下ボックス３１とに接続されている。なお、前枠１３下部には電動ハンドル４によって作動する打球発射装置３２が配設されており、入賞口８と連設している入賞球通路３３には入賞球制御装置３４および入賞検出スイッチ３５が配設されている。
　【００１５】
　ところで、前枠１３の裏側には役物制御装置３６および本体制御装置３７が取付けられ、外枠１４の裏側にはカード式球貸装置５を構成するリードライター制御装置５ｂおよびこの端末装置であるカードリードライター５ａが取付けられている。カードリードライター５ａは前面に突出してビス３８止めされカードリードライター５ａの正面にはカード挿入口５ｃが位置し内部にカード搬送装置３９が組込まれ、表面には金額の表示装置４０、球貸スイッチ４１およびカードの取出スイッチ４２が取付けられている。
　【００１６】
　次に、本体制御装置３７およびカード式球貸装置５の作動を図５ないし図８を参照して説明する。図５Ｒ＞５に示すように、本体制御装置３７の電気回路は役物制御装置３６およびリードライター制御装置５ｂの電気回路と接続され、本体制御装置３７およびリードライター制御装置５ｂは互いのｃｐｕが信号の交換をして作動する回路とされている。そして、本体制御装置３７およびリードライター制御装置５ｂは図６ないし図９に示すルーチンを高速に繰り返し演算実行することにより制御される。
　【００１７】
　また、リードライター制御装置５ｂは主要のｃｐｕがＲＯＭに書き込まれたプログラムにより作動し、球貸スイッチ４１、カードの取出スイッチ４２および枠開放検出スイッチ２５のオン・オフ信号の入力やカードリードライター５ａからの情報を受信してカードリードライター５ａ、カード搬送装置３９および金額の表示装置４０を作動させるものである。一方また、本体制御装置３７に球貸要求信号（ＢＢコール）を送信することによって本体制御装置３７からビジー信号、残金減算要求信号（残金信号）および球貸記憶減算要求信号（
後述する球貸
数の減算を要求する
　【００１８】
　また、本体制御装置３７は主要のｃｐｕがＲＯＭに書き込まれたプログラムにより作動し、入賞検出スイッチ３５、タッチスイッチ４ａおよび単発発射用のスイッチ６のオン・オフ信号の入力や排出装置２７の作動状況を示す信号およびリードライター制御装置５ｂのＢＢコールを受けて打球発射装置３２、スピーカ１９、表示灯２０および排出装置２７を作動させるものである。また、ＢＢコールを受けたとき、リードライター制御装置５ｂに向けてビジー信号、残金減算要求信号および球貸記憶減算要求信号を送信する。
　【００１９】
　次に、リードライター制御装置５ｂの作動を図６ないし図８を参照して説明する。なお、図６ないし図８のターミナルＡ，Ｂ，Ｃ，Ｄ，Ｅは同一のものであり、結線されている。機能的には球貸準備、ＢＢコール出力発生およびカード排出というブロックに分けることができる。図６に示すように、最初にカードリードライター５ａのカード挿入口５ｃにカードが差し込まれているかどうかを判別する（ステップ１）。カードがなければそのまま待機状態になり挿入されていればステップ２（カードを所定の読取り位置に搬送する。）、ステップ３（データを読み取る。）およびステップ４へ進む。ステップ４ではステップ３でのセキュリティを判定し、イエスであれば次のステップ５に進みノウであればカードを排出する（ステップ９）。
　【００２０】
　ステップ５では取出スイッチ４２の作動を判別し、イエスであれば（作動している場合）後述するステップＢ１（図８）に進み、ノウ（作動していない場合）であれば次のステップ６に進み球貸スイッチ４１が作動しているかを判定する。そして、ステップ６の判定がイエスであればステップ７に進み枠開放検出スイッチ２５が作動しているかどうかを判定する。ガラス枠１８等が閉じた状態（ノウ）であれば球貸出しの条件が整うので、球貸記憶の記憶数（
球貸記憶の数値、すなわち球貸記憶数、
（カードに記憶された球貸可能な数、すなわち球貸記憶数）
　【００２１】
　次に、本体制御装置３７からの信号の有無と残金の有無をチェックしてＢＢコールを送信する手順を述べる。図７に示すステップＡ１ではビジー信号の受信の有無を判定する。受信していない場合（ノウ）であれば、ステップＡ２において球貸記憶減算要求信号の受信の有無を判定しステップＡ３では残金減算要求信号の受信の有無を判定する。ここで両信号が受信されていなければステップＡ４でカードの金額データの残高の有無を判定する。そして、残高があればステップＡ５において球貸記憶の有無のチェックをする。球貸記憶が有ればステップＡ６において再度ビジー信号を受信しているかどうかを確認し、受信していない（ノウ）のであればステップＡ７においてＢＢコールを発生させる。なお、ステップＡ２において球貸記憶減算要求信号が受信されていればステップＡ８に進み球貸記憶の数値
（前記球貸記憶数）
　【００２２】
　また、ステップＡ３において残金減算要求信号が受信されていればステップＡ９に進み残金データを減算したのちステップＡ４（ゼロになっていないことの確認がなされる。）に合流する。一方、ビジー信号が受信されている場合、すなわちステップＡ１においてはステップＡ１０に進み、ステップＡ６においてはステップＡ１１に進みＢＢコールを停止させる。以後カードが挿入されている間上記処理を繰り返す。ステップ５において判定がイエス（カードの取出スイッチが働いている状態）であれば図８に示すステップＢ１に進みカードの排出手順を行う。
　【００２３】
　図８に示すように、先ず、ＢＢコールが発生しているかをここで判定する。発生していなければそのまま進むがもし有ればステップＢ２でＢＢコールを停止させ次に進む。ステップＢ３ではビジー信号を受信しているかをチェックし受けていれば待機状態になり、そうでなければステップＢ４で球貸記憶減算要求信号の有無を判定し無ければそのまま次へ進むが有ればステップＢ５で球貸記憶の数値
（前記球貸記憶数）
（前記球貸記憶数）
（前記球貸記憶数）
　【００２４】
　一方、図７に示すステップＡ４で残金データが０になったことを判定すると、カードに残金０のデータを書き込み（図８ステップＢ１０）、球貸記憶の記憶数
（前記球貸記憶数）
　【００２５】
　本体制御回路においては、図９に示すようにステップＣ１でＢＢコールが受信されているかを判定する。受信されていない場合は、入賞球の有無を判定する（ステップＣ２）。入賞球がない場合はここで待機状態になり（ステップＣ１に戻る。）、入賞球がある場合は再度、ＢＢコールの有無を判定する（ステップＣ３）。ＢＢコールが無ければ賞球排出処理を行い（ステップＣ４）ステップＣ５で処理終了を検知するまで賞球排出を行う。処理終了を検知すればステップＣ１に戻る。
　【００２６】
　ステップＣ３は賞球排出よりも貸出球排出を優先するように組まれている。ＢＢコールを受信した場合、ステップＣ１またはステップＣ３からステップＣ６に進み、ビジー信号を発生させる。そして、ステップＣ７において貸出球排出処理を行う。ステップＣ８では貸出球排出処理が終了したかを判定し、継続中であればステップＣ７へリピートされる。排出処理終了後、ステップＣ９においてビジー信号を停止させ、ステップＣ１０において球貸記憶減算要求信号を発生させる。さらにステップＣ１１において残金減算要求信号を発生させて、ＢＢコールおよび入賞球の待機状態（ステップＣ１，Ｃ２）とする。
　【００２７】
　すなわち、カードリードライター５ａにカードを挿入することによりカードの良否、残高、が判定され（ステップ４）、遊技者の球貸スイッチ４１の操作に基づき（ステップ６）賞球および貸出球の排出装置２７が作動して貸出球排出処理が行われる。この場合、上タンク２３に貯留されている遊技球が貸出球となって接続樋２６を流下し、排出装置２７の下部の賞球樋２８を通って上皿２に供給される。
　【００２８】
　なお、ステップ７はパチンコ機１を修理するためなどでガラス枠１８等を開放しているときに、作業者が誤って球貸し操作を行ってしまっても球貸しがされないように回路を制御したもので、この働きは、ガラス枠１８等の開放が検出された場合にはカードを排出するようにしても良く、枠開放時に球貸出し機能を停止させるものであれば何でも良い。また、本実施例ではカードを挿入した後、カードは残額が０になるか（ステップＡ４参照）または取出スイッチ４２が操作されるか（ステップ５参照）するまでカードリー
ドラ
　【００２９】
　【発明の効果】本発明は、以上のように構成したものであるから、パチンコ機の旧台から新台への交換時には、端末装置を接続したリードライター制御装置が本体制御装置と電気的に再接続し、カードリードライターおよびその制御装置が再利用される。また、賞球及び貸出球は本体制御装置に備えた排出装置により排出されるので、この再接続によって球貸し側のリードライター制御装置に排出装置を持たないパチンコ機は、再度、本体制御装置に備えた排出装置を使用するので、経費を削減することができる。また、リードライター制御装置は、球貸スイッチの操作に基づいて出力されたカードリードライターの信号を受信して、本体制御装置へ球貸要求信号を送信し、しかもビジー信号の有無により、カードのカード残金がゼロでないとき、かつ、球貸記憶数情報がゼロでないときに繰り返して球貸要求信号を送信することができ、機械の誤認動作が減少され、確実に貸出球の排出処理が行え、信頼性が向上するという効果がある。また、球貸スイッチ及びカード取出スイッチはパチンコ機の外枠に設けられてるので、本体制御装置を入れ替えても、遊技者は従来と同じ操作が行え、球貸スイッチの操作に基づき球貸記憶数を発生させ、遊技終了後にカード取出スイッチの操作によりカードを戻すことができる。
【図面の簡単な説明】
　【図１】本発明の実施の形態におけるパチンコ機の斜視図である。
　【図２】図１に示すパチンコ機の分割状態を示す斜視図である。
　【図３】図１に示すパチンコ機の正面図である。
　【図４】図１に示すパチンコ機の裏面図である。
　【図５】図１に示すパチンコ機のカード式球貸装置と本体制御装置との結線を示すブロック図である。
　【図６】図５に示すカード式球貸装置の一部フローチャートである。
　【図７】図５に示すカード式球貸装置の一部フローチャートである。
　【図８】図５に示すカード式球貸装置の一部フローチャートである。
　【図９】図５に示す本体制御装置のフローチャートである。
　【符号の説明】
　１　パチンコ機
　５　カード式球貸装置
　５ａ　カード挿入部
　５ｂ　リードライター制御装置
　３７　本体制御装置
　３９　カード搬送装置
　４１　球貸スイッチ
　４２　取出スイッチ